(57)【要約】【課題】用途に応じて配光の範囲を調節出来る照明器具を提供する。【解決手段】指向性のある光源であるＬＥＤ２と、このＬＥＤ２を覆うように、このＬＥＤ２に対し着脱可能に取り付けられる拡散透過カバー３とを備え、この拡散透過カバー３は、光を拡散透過する素材よりなる、照明器具１を構成する。【選択図】図１
2012238442.tif 000002
【特許請求の範囲】
【請求項１】
指向性のある光源と、
前記光源を覆うように、前記光源に対し着脱可能に取り付けられる拡散透過カバーとを備え、
前記拡散透過カバーは、光を拡散透過する素材よりなる、照明器具。
【請求項２】
前記拡散透過カバーは、前記光源の光軸方向に沿って前記光源に接近及び離間するように移動可能である、請求項１に記載の照明器具。
【請求項３】
前記拡散透過カバーは、前記光源の光軸方向に垂直な底部と、前記底部に対し垂直な側面部とを有する筒形状である、請求項１に記載の照明器具。
【発明の詳細な説明】
【技術分野】
【０００１】
本発明は、主に道路工事などで使用される照明器具に関する。
【背景技術】
【０００２】
従来の照明器具において、特許文献１には、LEDチップがパッケージに実装されたＬＥＤ光源と、ＬＥＤ光源を主面上において支持する基台と、基台の主面側に設置される、ＬＥＤ光源を覆う透光性の第１の光学カバーと、基台の主面側に設置される、第１の光学カバーの外側を覆う透光性の第２の光学カバーと、を備える照明装置が開示されている。
【先行技術文献】
【特許文献】
【０００３】
【特許文献１】特開2011-76833号公報
【発明の概要】
【発明が解決しようとする課題】
【０００４】
しかしながら、上述の照明器具では、以下のような問題点があった。
【０００５】
特許文献１に開示されている照明器具では、指向性のあるＬＥＤ光源を使用しているものの、常にカバーをつけた状態での使用を想定しており、一定方向へ照射して使用することについては考えられていない。
【０００６】
本発明は、以上の問題に鑑み、用途に応じて配光の範囲を調節出来る照明器具を提供することを目的としている。
【０００７】
上記目的を達成する為、本発明の照明器具は、指向性のある光源と、この光源を覆うように、光源に対し着脱可能に取り付けられる拡散透過カバーとを備え、この拡散透過カバーは、光を拡散透過する素材よりなる。
【０００８】
ここで、拡散透過カバーは、光源の光軸方向に沿って光源に接近及び離間するように移動可能であっても良い。
【０００９】
また、拡散透過カバーは、光源の光軸方向に垂直な底部と、底部に対し垂直な側面部とを有する筒形状であっても良い。
【発明の効果】
【００１０】
本発明によれば、光源に対し、拡散透過カバーを着脱し、もしくは接近及び離間するように移動する事で、用途に応じて配光の範囲を変化させることができる。
【図面の簡単な説明】
【００１１】
【図１】本発明の照明器具の実施形態を示す斜視図である。
【図２】図１の照明器具の拡散透過カバーを外した状態を示す斜視図である。
【図３】図１の照明器具の拡散透過カバーを装着した状態を示す斜視図である。
【図４】図１の照明器具の拡散透過カバーを光源に接近した状態を示す斜視図である。
【図５】図１の照明器具の拡散透過カバーを光源に中程度に接近した状態を示す斜視図である。
【図６】図１の照明器具の拡散透過カバーを光源から離間した状態を示す斜視図である。
【発明を実施するための形態】
【００１２】
以下、図面に基づいて本発明の実施形態を詳細に説明する。
【００１３】
図１は本発明の照明器具の実施形態を示す斜視図である。図１に示すように、照明器具１は、指向性のある光源としての高照度レンズ付きＬＥＤ２と、正面側の端面５aに複数のＬＥＤ２を備え、背面側の端面５ｂに電源供給手段４を備えた円柱形の灯体本体５と、これらＬＥＤ２を覆う光透過性の板状部材である保護カバー６と、ＬＥＤ２及び保護カバー６を覆うように、灯体本体５に対し着脱可能に取り付けられ、光を拡散透過する素材よりなる、有底円筒形の拡散透過カバー３とからなる。
【００１４】
図１に示すように、灯体本体５は円柱形状をなし、ＬＥＤ２は、灯体本体５の図１において左側である正面側の端面５aに二つの同心円を描くように等間隔に複数個配置される。これらＬＥＤ２は４５度程度の開き角度の指向性を有する発光ダイオードであり、すべてのＬＥＤ２は光軸が正面を向くように配置される。
を有する。
【００１５】
保護カバー６は耐熱性の円盤状の透明素材より成り、ＬＥＤ２を外部衝撃から保護するためのものである。保護カバー６は灯体本体５の正面側の端面５aに、ＬＥＤ２を覆うように嵌め込まれる。ここで、透明素材とは、光を拡散することなく透過する素材であり、ガラス、ポリカーボネートなどであればよい。
【００１６】
拡散透過カバー３は、光を拡散透過する素材からなり、灯体本体５より一回り大きな半径の有底円筒形であり、ＬＥＤ２の光軸方向L１に垂直な底部３ａと、この底部３ａに対し垂直な側面部３ｂとを有し、灯体本体５の正面側の端面５aを覆うように灯体本体５に被せることができる。拡散透過カバー３の前後方向長さ、すなわち円筒形の高さ方向長さは、灯体本体５の前後方向長さ、すなわち円柱形の高さ方向長さより少し長い。このため、拡散透過カバー３の底部３ａがＬＥＤ２に最も近接する位置において、拡散透過カバー３は、図４に示すように灯体本体５をすっぽりと覆い、拡散透過カバー３の底部３ａがＬＥＤ２から最も離れた位置においては、図６に示すように拡散透過カバー３の内部には、拡散透過カバー３の内面と灯体本体５の正面側の端面５aとにより空間が画成される。また、拡散透過カバー３は、上述したＬＥＤ２に最も近接する位置とＬＥＤ２から最も離れた位置との間において灯体本体５の外面に沿って摺動可能である。ここで、光を拡散透過する素材とは、光を透過すると共に拡散するものであり、ガラスに表面処理を施したすりガラス、白色透明のプラスチック、アクリル、布、紙などであればよい。また、拡散透過カバー３は、針金状の骨組みを有していてもよい。
【００１７】
図２は、本発明の照明器具１における、拡散透過カバー３を取り外した状態を示す。図２において、光源であるＬＥＤ２は正面側を向いており、またそれぞれのＬＥＤ２は４５度程度の開き角度の指向性を有するから、図２の状態において照明器具１に通電した場合には、光Lが４５度程度の開き角度で正面側を照射する、指向性のある照明器具が得られる。
【００１８】
図３は、本発明の照明器具１における、拡散透過カバー３を取り付けた状態を示す。図３において、光源であるＬＥＤ２は正面側を向いており、またそれぞれのＬＥＤ２は４５度程度の開き角度の指向性を有するから、照明器具１に通電した場合には、光は４５度程度の開き角度で拡散透過カバー３に当たる。光が拡散透過カバー３を透過する際には拡散透過カバー３の透過拡散作用により拡散される。そのため、光Lは図３に示すように、図２の場合より広い範囲に拡散される。このように、照明器具１に拡散透過カバー３を取り付けることにより、広範囲を照射する照明器具が得られる。
【００１９】
図４から図６は本発明の照明器具１における、拡散透過カバー３を光源２の光軸方向に沿って移動させた場合の各位置における状態を示す。
【００２０】
図４に示すように、拡散透過カバー３の底部３ａがＬＥＤ２に最も近接した位置において、拡散透過カバー３は、灯体本体５をすっぽりと覆う。この場合、ＬＥＤ２から照射された光のほぼ全てが拡散透過カバー３の底部３ａの底部に当たり、拡散透過される。拡散透過カバー３の底部３ａは光軸方向に対して垂直な面であるから、この面を透過した光は拡散透過カバー３より正面方向すなわち照明器具１の正面方向に、光軸方向L1を中心とした１８０度未満の広がりを持って拡散照射される。よって、図４の状態において照明器具１に通電した場合には、光Lが４５度以上１８０度未満の開き角度で正面側を照射する照明器具が得られる。
【００２１】
図６に示すように、拡散透過カバー３の底部３ａがＬＥＤ２から最も離れた位置において、拡散透過カバー３は、その縁部が灯体本体５の正面側の端面５aの周囲に位置し、この縁部において灯体本体５に支持される。この場合、ＬＥＤ２から照射された光は４５度程度の開き角度で拡散透過カバー３に当たるから、光の半分程度が拡散透過カバー３の底部３ａの底部に当たり、残りの半分程度は底部３ａの側面部３ｂに当たり、いずれも拡散透過される。拡散透過カバー３の底部３ａは光軸方向に対して垂直な面であるから、この面を透過した光は拡散透過カバー３より正面方向すなわち照明器具１の正面方向に、光軸方向L1を中心とした１８０度未満の広がりを持って拡散照射される。一方、拡散透過カバー３の側面部３ｂは光軸方向L1に対して平行な面であるから、この面を透過した光は拡散透過カバー３の側面方向すなわち照明器具１の側面方向に、光軸方向L1に垂直な方向を中心とした１８０度未満の広がりを持って拡散照射される。よって、図６の状態において照明器具１に通電した場合には、光Lが３６０度未満の開き角度で周囲を照射する照明器具が得られる。
【００２２】
図５に示すように、拡散透過カバー３の底部３ａがＬＥＤ２から中程度に離れた位置において、拡散透過カバー３は、その縁部が灯体本体５の長さ方向中間の周囲に位置し、この縁部を含む、拡散透過カバー３の灯体本体５と重複する部分において灯体本体５に支持される。この場合、ＬＥＤ２から照射された光は４５度程度の開き角度で拡散透過カバー３に当たるから、光の７割程度が拡散透過カバー３の底部３ａの底部に当たり、残りの３割程度は底部３ａの側面部３ｂに当たり、いずれも拡散透過される。よって、図５の状態において照明器具１に通電した場合には、光Lの大部分が正面方向を照射し、残りが側面から背面方向を照射する照明器具が得られる。このように、拡散透過カバー３の底部３ａとＬＥＤ２との距離を調節することにより、正面方向の照射と側面から背面方向の照射との割合を変化し、用途に応じて配光の範囲を変化させることができる。
【００２３】
以上のように、本発明の照明器具は、指向性のある光源に対し、拡散透過カバーを着脱し、もしくは接近及び離間するように移動する事で、用途に応じて配光の範囲を変化させることができるものであり、光源の指向性の度合い、拡散透過カバーの拡散透過の度合い、拡散透過カバーの長さ、形状、材質などは用途に応じて適宜設計することができる。また、用途によっては、拡散透過カバーを、指向性のある光源に対し着脱可能であるが接近及び離間するように移動することは不能に設計してもよく、逆に、指向性のある光源に対し着脱不能であるが接近及び離間するように移動することは可能に設計してもよい。また、拡散透過カバーと光源との距離の変化を生じさせるための機構は、上述したものに限られず、相互間にレールを設けるなどの様々な機構を採用することができる。
【符号の説明】
【００２４】
１  照明器具
２  ＬＥＤ
３  拡散透過カバー
４  電源供給手段
５  灯体本体
６  保護カバー
【図１】
2012238442.tif 000003
【図２】
2012238442.tif 000004
【図３】
2012238442.tif 000005
【図４】
2012238442.tif 000006
【図５】
2012238442.tif 000007
【図６】
2012238442.tif 000008